(57)【要約】【課題】  ローターモータとステーターモータの構造改善によって組立性向上及びコスト低減が図れるテープレコーダのヘッドドラム組立体を提供する。【解決手段】  本発明に係るテープレコーダのヘッドドラム組立体は、走行する磁気テープをスキャニングして情報を記録/再生する磁気ヘッドを支持する回転ドラムと、該回転ドラムと並んで回転ドラムの中心軸穴に挟み込まれるシャフトの下部に押し込まれる固定ドラムと、該固定ドラムに固定されるモータステーターと、該モータステーターに対向し、前記回転ドラムに結合されるモータローターを含み、前記モータローターのローターケースは前記回転ドラムの外周面に直接にボンディング取付けられる。【選択図】      図４
2004152469.tif 000002
【特許請求の範囲】
【請求項１】
走行する磁気テープをスキャニングして情報を記録/再生する磁気ヘッドを支持する回転ドラムと、
該回転ドラムと並んで回転ドラムの中心軸穴に挟み込まれるシャフトの下部に押し込まれる固定ドラムと、
該固定ドラムに固定されるモータステーターと、
該モータステーターに対向し、前記回転ドラムに結合されるモータローターと、を含み、該モータローターのローターケースは、前記回転ドラムの外周面に直接ボンディング取付けられることを特徴とするテープレコーダのヘッドドラム組立体。
【請求項２】
前記モータステーターは、マグネットヨークとステーターコイルとを含み、
前記マグネットヨークと前記ステーターコイルとの間には一定の第１ギャップが維持されることを特徴とする請求項１に記載のテープレコーダのヘッドドラム組立体。
【請求項３】
前記モータローターとモータステーターとの間には、一定の第２ギャップが維持されることを特徴とする請求項１に記載のテープレコーダのヘッドドラム組立体。
【請求項４】
前記第２ギャップは、０．３ｍｍないし０．４ｍｍであることを特徴とする請求項３に記載のテープレコーダのヘッドドラム組立体。
【請求項５】
前記第２ギャップは、０．３６ｍｍであることを特徴とする請求項３に記載のテープレコーダのヘッドドラム組立体。
【請求項６】
前記第１ギャップは、０ないし０．０３ｍｍであることを特徴とする請求項２に記載のテープレコーダのヘッドドラム組立体。
【請求項７】
ローターマグネットをさらに含み、
前記ローターマグネットの磁力は、制御されることを特徴とする請求項２に記載のテープレコーダのヘッドドラム組立体。
【請求項８】
前記マグネットヨークの磁力は、一般のモータステーターより低く制御されることを特徴とする請求項７に記載のテープレコーダのヘッドドラム組立体。
【請求項９】
走行する磁気テープをスキャニングして情報を記録/再生する磁気ヘッドを支持する回転ドラムに並んでその回転ドラムの中心軸穴に挟み込まれるシャフトの下部にモータステーターを有する固定ドラムを押し込む段階と、
モータローターのローターケースが前記回転ドラムの外周面に直接ボンディング取付られるよう前記回転ドラムとモータローターとを連結する段階と、を含むことを特徴とするテープレコーダのヘッドドラム組立体製造方法。
【請求項１０】
前記モータステーターは、マグネットヨークとステーターコイルとを含み、
前記マグネットヨークとステーターコイルとの間には一定の第１ギャップが設けられることを特徴とする請求項９に記載の テープレコーダのヘッドドラム組立体製造方法。
【請求項１１】
前記モータローターとモータステーターとの間には一定の第２ギャップが設けられることを特徴とする請求項９に記載のテープレコーダのヘッドドラム組立体製造方法。
【請求項１２】
前記第２ギャップは、０．３ｍｍないし０．４ｍｍであることを特徴とする請求項１１に記載のテープレコーダのヘッドドラム組立体製造方法。
【請求項１３】
前記第２ギャップは、０．３６ｍｍであることを特徴とする請求項１１に記載のテープレコーダのヘッドドラム組立体製造方法。
【請求項１４】
前記第１ギャップは、０ないし０．３ｍｍであることを特徴とする請求項１０に記載のテープレコーダのヘッドドラム組立体製造方法。
【請求項１５】
前記ヘッドドラム組立体は、ローターマグネットをさらに含み、前記ローターマグネットの磁力は制御されることを特徴とする請求項１０に記載のテープレコーダのヘッドドラム組立体製造方法。
【請求項１６】
前記ローターマグネットの磁力は、一般のモータステーターより低く制御されることを特徴とする請求項１５に記載のテープレコーダのヘッドドラム組立体製造方法。
【発明の詳細な説明】
【技術分野】
【０００１】
本発明はＶＣＲやカムコーダのようなテープレコーダのヘッドドラム組立体に係り、さらに詳しくはモータローターとモータステーターの構造が改善されたテープレコーダのヘッドドラム組立体に関する。
【背景技術】
【０００２】
一般に、ＶＣＲやカムコーダのようなテープレコーダには磁気テープに対する磁気ヘッドのスキャニングによって情報を記録/再生するため、高速回転自在に設けられたヘッドドラム組立体が具備される。このようなヘッドドラム組立体は図１に示したように走行する磁気テープをスキャニングして情報を記録/再生するための磁気ヘッドＨを回転自在な状態で支持する回転ドラム１０と、回転ドラム１０の中心軸穴に結合されたシャフト３０の下方部に並んだ状態で押し込まれる固定ドラム２０と、固定ドラム２０に設けられたモータステーター５０と、モータステーター５０に対向設置して回転するよう回転ドラム１０に結合されるモータローター４０を含む。ここで、未説明符号６０はシャフト３０について回転ドラム１０を回転自在な状態で支持するために結合される軸受を示す。
【０００３】
図２を参照すれば、前述したような構成を有する従来のヘッドドラム組立体の場合、モータローター４０は示したように回転ドラム１０の下方部の外周面に結合されるリング状のローターブッシュ４１によってローターケース４２の内径が支持されるよう設けられる構造を有することから、部品数が増加して製造コストがアップすると同時に組立性が劣化する問題点を有している。
【０００４】
また、モータステーター５０は磁気場形成を通した磁気ヘッドＨの信号処理のためにマグネットヨーク５１の適切な着磁力を維持すべきことに伴って、マグネットヨーク５１とステーターコイル５２との間に一定のギャップを形成して維持させうるようプラスチックスぺーサ５３を介在させた後、ボンディングによって結合した構造を有することによって、部品数及び工程追加による製造コストのアップと共に、組立性が劣化する問題点を持つ。
【発明の開示】
【発明が解決しようとする課題】
【０００５】
本発明は前述したような従来のテープレコーダのヘッドドラム組立体が抱えている問題点に鑑みて案出されたもので、本発明の目的はローターモータとステーターモータの構造改善によって組立性向上及びコスト低減を図れるテープレコーダのヘッドドラム組立体を提供するところにある。
【課題を解決するための手段】
【０００６】
前述した目的を達成するための本発明に係るテープレコーダのヘッドドラム組立体は、走行する磁気テープをスキャニングして情報を記録/再生する磁気ヘッドを支持する回転ドラムと、該回転ドラムと並んで回転ドラムの中心軸穴に挟み込まれるシャフトの下部に押し込まれる固定ドラムと、該固定ドラムに固定されるモータステーターと、該モータステーターに対向し、前記回転ドラムに結合されるモータローターを含み、前記モータローターのローターケースは前記回転ドラムの外周面に直接にボンディング取付られることを特徴とする。
【０００７】
また、前述した目的を達成するための本発明のテープレコーダのヘッドドラム組立体の製造方法は、走行する磁気テープをスキャニングして情報を記録/再生する磁気ヘッドを支持する回転ドラムに並んでその回転ドラムの中心軸穴に挟み込まれるシャフトの下部にモータステーターを有する固定ドラムを押し込む段階と、モータローターのローターケースが前記回転ドラムの外周面に直接にボンディング取付られるよう前記回転ドラムとモータローターを連結する段階とを含むことを特徴とする。
【発明の効果】
【０００８】
本発明に係るテープレコーダのヘッドドラム組立体によれば、組立部品の削減及び組立工程の排除によって組立性向上及びコスト低減が図れる効果を奏でる。
【発明を実施するための最良の形態】
【０００９】
以下、添付した図面に基づき本発明の望ましい実施例によるテープレコーダのヘッドドラム組立体を詳述する。
【実施例１】
【００１０】
図３を参照すれば、本発明に係るテープレコーダのヘッドドラム組立体１００は、示した通り走行する磁気テープをスキャニングして情報を記録/再生するための磁気ヘッドｈを回転自在な状態で支持する回転ドラム１１０と、回転ドラム１１０の中心軸穴に結合されたシャフト１３０に並んだ状態で押し込まれる固定ドラム１２０と、固定ドラム１２０に設けられたモータステーター１５０と、モータステーター１５０に対向設置して回転するよう回転ドラム１１０に結合されるモータローター１４０を含み、モータローター１４０のローターケース１４１は回転ドラム１１０の下方部の外周面に直接にボンディング取付けられることを特徴とする。
【００１１】
また、本発明の他の側面によれば、前述した構成に加え、モータステーター１５０に具備されたマグネットヨーク１５１とステーターコイル１５２は固定ドラム１２０上に一定ギャップを維持しながら順次積層された状態で設けられた点に構成上の特徴がある。
【００１２】
前述したような構成を有する本発明に係るテープレコーダのヘッドドラム組立体によれば、モータローター１４０のローターケース１４１は回転ドラム１１０の下方部の外周面に直接にボンディング取付けられることによって、既存構造におけるローターブッシュ(図２の４１)及びその結合過程を排除できるため、製造コストの低減と組立性を向上させうる。
【００１３】
そして、本発明に係るテープレコーダのヘッドドラム組立体によれば、モータステーター１５０に具備されたマグネットヨーク１５１とステーターコイル１５２との間に所定のギャップが形成されるよう設けられることによって、既存構造におけるスぺーサ(図１の５３)及びそのボンディング過程を排除できるため、製造コストの低減と組立性を向上させ得る。
【００１４】
一方、前述したような本発明に係るモータステーター１５０の構成によれば、図４に示したようにマグネットヨーク１５１とステーターコイル１５２の間に形成されたギャップＧ１を０〜０．０３ｍｍ範囲に維持する際、ローターモータ１４０とモータステーター１５０との間に形成されるギャップＧ２を調整(例えば、Ｇ２を０．３ｍｍ〜０．４ｍｍに延し；望ましくは０．３６ｍｍ)したり、ローターマグネット１４１の着磁力を調整(例えば、着磁力を低める)すれば、既存と同様な特性を維持できるようになる。
【００１５】
従って、本発明に係るテープレコーダのヘッドドラム組立体によれば、既存の構成においてローターブッシュ４１とスぺーサ５３を部品リストから削除すると同時に、その取付工程を排除できるようになることから組立性向上及びコスト低減が図れる。
【産業上の利用可能性】
【００１６】
本発明はＶＣＲやカムコーダのようにヘッドドラムを有するテープレコーダに適用できる。
【図面の簡単な説明】
【００１７】
【図１】従来のテープレコーダのヘッドドラム組立体を概略的に示す断面図である。
【図２】図１の要部Ａを抜粋して示す概略的な断面図である。
【図３】本発明に係るテープレコーダのヘッドドラム組立体を概略的に示す断面図である。
【図４】図３の要部Ａを抜粋して示す概略的な断面図である。
【符号の説明】
【００１８】
１００  ヘッドドラム組立体
１１０  回転ドラム
１２０  固定ドラム
１３０  シャフト
１４０  モータローター
１５０  モータステーター
１５１  マグネットヨーク
１５２  ステーターコイル
【図１】
2004152469.tif 000003
【図２】
2004152469.tif 000004
【図３】
2004152469.tif 000005
【図４】
2004152469.tif 000006